(57)【要約】【課題】構造が簡単でかつ低コストで製造できると共に、コンパクトで場所を取らず、簡易に急須を構成し、どんな場所でも本格的に茶の抽出と茶を飲むことができる簡易茶器を提供する。【解決手段】容器５の中に茶葉１０を入れ、湯等の液体１１を注ぎ入れ、容器５の縁部に凹状のフィルター１を係止し簡易急須を構成し、備えの容器５に抽出液１２を注ぎ入れ飲むことができる簡易茶器又は、容器５の中に茶葉１０を入れ、容器５の縁部に凹状のフィルター１を係止し簡易急須を構成し、凹状のフィルター１の複数の第一の開口部２から直接湯等の液体１１を注ぎ入れ、備えの容器５に抽出液１２を注ぎ入れ飲むことができる簡易茶器で解決する。【選択図】  図１
2008246187.tif 000002
【特許請求の範囲】
【請求項１】
茶葉を入れ、湯等の液体を受け入れる容器と、この容器の縁部に係止し、前記茶葉の流出を阻止すると共に、茶抽出液の流出を許容する複数の第一の開口部を有する凹状のフィルターと、前記フィルターの凹状の底部より上方に向って形成される凸状部と、この凸状部には前記第一の開口部より大である第二の開口部を設けて構成されていることを特徴とする簡易茶器。
【請求項２】
前記凸上部の外形は、指で摘まむことが出来る大きさであることを特徴とする請求項１記載の簡易茶器。
【請求項３】
前記容器は、互に嵌め合わせ重ねられ収納できる形状で、更に同じ大きさで複数の容器が収納できることを特徴とする請求項１又は、請求項２記載の簡易茶器。
【請求項４】
前記複数の容器の一個内に、予め茶葉が収納されていることを特徴とする請求項１又は、請求項２又は、請求項３記載の簡易茶器
【請求項５】
前記複数の容器の１個の開口部に、剥離できるシートを貼合されていることを特徴とする請求項１又は、請求項２又は、請求項３又は、請求項４記載の簡易茶器。
【請求項６】
前記凹状のフィルターは、その上端周縁部が外側にめくり返され、更に容器保持部を備えていることを特徴とする請求項１又は、請求項２又は、請求項３又は、請求項４記載の簡易茶器。
【請求項７】
前記複数の第一の開口部を有する凹状のフィルターは、前記複数の第一の開口部の一部に前記複数の第一の開口部より大である複数の第三の開口部を有することを特徴とする請求項１又は、請求項２又は、請求項３又は、請求項４又は、請求項５又は、請求項６記載の簡易茶器。
【発明の詳細な説明】
【技術分野】
【０００１】
本発明は、コンパクトで場所を取らず、簡易に茶の抽出と茶を飲むことができる簡易茶器に関する。
【背景技術】
【０００２】
従来は、コンパクトで飲み終わった後の茶殻の処理や洗う手間を解消する使い捨て急須があった。
【特許文献１】特開２０００−２３７０２１号
【発明の開示】
【発明が解決しようとする課題】
【０００３】
しかしながら、従来の使い捨て急須は、湯を注ぎ入れる際の湯こぼれの安全面や、別途に受け入れる容器を用意する面や、指定された茶しか飲用できない点など応用性や利便性などの面で不利があった。
【課題を解決するための手段】
【０００４】
上記課題を解決するために本発明は、簡易茶器であって、茶葉を入れ、湯等の液体を受け入れる容器と、この容器の縁部に係止し、前記茶葉の流出を阻止すると共に、茶抽出液の流出を許容する複数の第一の開口部を有する凹状のフィルターと、前記フィルターの凹状の底部より上部に向って形成される凸状部と、この凸状部には、前記第一の開口部より大である第二の開口部を設けて構成されていることを特徴とする簡易茶器。
【０００５】
また、前記凸状部の外形は、指で摘まむことが出来る大きさで、凹状のフィルターの取り外しが出来ると共に、凸状部に通気性の役目を持たせた第二の開口部を設けたことで、凹状のフィルターを取り外さなくても複数の第一の開口部から湯等の液体を注入することが出来る機能性を持たせると共に、凹状のフィルターの形状が受け皿となり、湯こぼれ防止になる配慮を設けたことを特徴とする簡易茶器。
【０００６】
また、前記容器は、互に嵌め合わせ重ねられ収納できる形状で、更に同じ大きさで複数の容器が収納でき、コンパクトで多人数に合わせた応用性を持たせたことを特徴とする簡易茶器。
【０００７】
また、前記複数の容器の一個内に、予め茶葉が収納されていることで利便性と即応性を特徴とする簡易茶器。
【０００８】
また、前記複数の容器の一個の開口部に、剥離できるシートを貼合されていることで利便性と即応性を特徴とする簡易茶器。
【０００９】
また、前記凹状のフィルターは、その上端周縁部が外側にめくり返され、更に容器保持部を備えていることで、収納性と利便性を特徴とする簡易茶器。
【００１０】
また、前記複数の第一の開口部を有する凹状のフィルターは、前記複数の第一の開口部の一部に前記複数の第一の開口部より大である複数の第三の開口部を有することで、応用性と利便性と即応性を備えたことを特徴とする簡易茶器で上記課題を解決する。
【発明の効果】
【００１１】
本発明の簡易茶器は、簡易茶器から簡易に急須を構成すると共に、複数の容器を収納し茶葉の選択も自由にできることで、コンパクトで場所を取らず人数に対応でき、本格的な茶の抽出と茶を飲むことができると共に、凸状部に通気性の役目を持たせた第二の開口部を設けたことで、凹状のフィルターの複数の第一の開口部から湯等の液体を直接注入することができると共に、簡易茶器全体のサイズを変更することにより多種類の茶葉に対応でき、利便性と即応性を活用し、幅広い分野で多目的に利用ができる。
【発明を実施するための最良の形態】
【００１２】
本発明の簡易茶器は、図１に示すように簡易茶器の容器５の中に茶葉１０を入れ、湯等の液体１１を注ぎ入れ、前記容器５の縁部に凹状のフィルター１を係止し簡易急須を構成し、茶抽出液１２を容器５に注ぎ入れ茶を飲むことができると共に、何煎も入れ替えて飲む場合は、凹状のフィルター１の凸状部３を摘まみ取り外し何煎も入れ替えて飲むことができる構成で設けてある。
【実施例１】
【００１３】
また、図２に示すように簡易茶器の容器５の中に茶葉１０を入れ、湯等の液体１１を注ぎ入れ、前記容器５の縁部に凹状のフィルター１を係止し簡易急須を構成し、同じ大きさで収納されている備えの容器５に茶抽出液１２を注ぎ入れ茶を飲むことができると共に、何煎も入れ替えて飲む場合は、凸状部３に通気性の役目を持たせた第二の開口部４を設けたことで、複数の第一の開口部２から直接、湯等の液体１１を注ぎ入れることができ更に、凹状のフィルター１の形状が受け皿となり湯等の液体１１を注ぎ入れる際に湯こぼれ防止になる配慮を設けてある。
【実施例２】
【００１４】
また、図３に示すように簡易茶器の複数の容器５の一個内に予め茶葉１０が収納され、更に前記容器５の縁部に凹状のフィルター１が係止され更に、その開口部には剥離できるシート７が貼合されており、その前記剥離できるシート７を剥がし、前記凹状のフィルター１の複数の第一の開口部２から湯等の液体１１を注ぎ入れ、同じ大きさで収納されている備えの容器５に抽出液１２を注ぎ入れ茶を飲むことができる利便性と即応性を設けてある。
【実施例３】
【００１５】
また、図４に示すように簡易茶器の上端周縁部が外側にめくり返された凹状のフィルター８を複数の容器５から外し、前記複数の容器５の一個内の中に茶葉１０を入れ、湯等の液体１１を注ぎ入れ、前記容器５の縁部に、上端周縁部が外側にめくり返された凹状のフィルター８を係止し簡易急須を構成し、備えの容器５に抽出液１２を注ぎいれて飲むことができる、収納性と利便性を高めてある。
【実施例４】
【００１６】
また、図５に示すように簡易茶器の容器５に茶葉１０を入れ、湯等の液体１１を注ぎ入れ、前記容器５の縁部に、複数の第一の開口部２を有し更に、前記複数の第一の開口部２より大である複数の第三の開口部６を有する凹状のフィルター１を係止し簡易急須を構成し、備えの容器５に抽出液１２を注ぎ入れて飲むことができ更に、凹状のフィルター１を外さなくても、複数の第一の開口部２及び複数の第三の開口部６から湯等の液体１１の注入ができ、注入と抽出の利便性と即応性を配慮し設けてある。
【実施例５】
【００１７】
また、図６に示すように簡易茶器の容器５に茶葉１０を入れ、湯等の液体１１を注ぎ入れ、前記容器５の縁部に凹状のフィルター１を係止し簡易急須を構成し、備えの容器５に茶抽出液１２を注ぎ入れて茶を飲むことができ、単純な構造で利便性と即応性を高めてある。
【産業上の利用可能性】
【００１８】
コンパクトで場所を取らず簡易に茶の抽出と飲用ができ又、人数に合わせた対応や緊急時においても簡易に茶器のセッティングができ茶の抽出と飲用ができ更に、簡易茶器全体のサイズを変更することにより多種類の茶葉に対応でき、利便性と即応性を活用することで、幅広い分野で多目的に利用が可能である。
【図面の簡単な説明】
【００１９】
【図１】図１（a）は、本発明の簡易茶器の使用前の状態の斜視図であり、図１（ｂ）は、図１（a）の断面図であり、図１（ｃ）は図１（a）の簡易茶器の分解を示す分解斜視図である。
【図２】図２（a）は、本発明の簡易茶器の使用前の状態の斜視図であり、図２（ｂ）は、図２（a）の断面図であり、図２（c）は図２（a）の簡易茶器の分解を示す分解斜視図である。          （実施例１）
【図３】図３(a)は、本発明の簡易茶器の開封途中の状態の斜視図であり、図３（ｂ）は、図３（a）の使用前の状態の断面図である。          （実施例２）
【図４】図４（a）は、本発明の簡易茶器の使用前の状態の斜視図であり、図４（ｂ）は図４（a）の断面図である。          （実施例３）
【図５】図５（a）は、本発明の簡易茶器の使用前の状態の斜視図であり、図５（ｂ）は図５（a）の断面図である。          （実施例４）
【図６】図６（a）は、本発明の簡易茶器の容器に茶と湯等の液体を入れ簡易急須を構成した斜視図であり、図６（b）は、図６（a）の簡易急須から容器に抽出液を注入している斜視図である。          （実施例５）
【符号の説明】
【００２０】
１  凹状のフィルター。
２  複数の第一の開口部。
３  凸状部。
４  第二の開口部。
５  容器。
６  複数の第三の開口部。
７  剥離できるシート。
８  上端周縁部が外側にめくり返された凹状のフィルター。
９  容器保持部。
１０  茶葉。
１１  湯等の液体。
１２  抽出液。
【図１】
2008246187.tif 000003
【図２】
2008246187.tif 000004
【図３】
2008246187.tif 000005
【図４】
2008246187.tif 000006
【図５】
2008246187.tif 000007
【図６】
2008246187.tif 000008